(57)【特許請求の範囲】
【請求項１】
熱交換器、送風機等が収納されるケースと、２つの開口が離間して形成され前記ケースの下側を塞ぐように取り付けられる底板と、透孔を
有し前記各開口の周縁に係止される２つの脚部とこの脚部を連結する連結部とからなる固定金具とを備えることを特徴とする空気調和機
【発明の詳細な説明】
【０００１】
【産業上の利用分野】
本発明は床置き型の空気調和機に関する。
【０００２】
【従来の技術】
一般に、オフィスやビル等では、図６に示すような床に設置される床置き型の空気調和機が使用されている。図６に基づき床置き型空気調和機について説明すると、１１は板金を断面コ字状に折り曲げ形成したケースであり、内部に熱交換器、送風機、電送箱等が収納配置されている。１５はケース１１の上側を塞ぐようにネジ止めされて取りつけられた天板、１７はケース１１下側を塞ぐようにネジ止めされて取りつけられた底板である。１３ａは吸込パネルであり、空気の吸込口が形成されている。１３ｂは吹出パネルであり、熱交換器にて熱交換された空気が吹き出される吹出口が形成されている。１３ｃはセンターパネルであり、空気調和機の運転操作を行うためのコントローラ４が設けられている。これらパネル１３ａ、１３ｂ、１３ｃはケース１１、天板１５及び底板１７で形成された本体の前面開口を塞ぐように取り付けられている。
【０００３】
【発明が解決しようとする課題】
上述のように構成された床置き型の空気調和機を設置する場合、本体を安定させるためにＬ字型の固定金具６０を使用して床面に本体を床面に固定する。固定金具６０は底板１７の側面と床面にネジ６１、６２にて螺合される。このような固定金具６０を本体の外側に使用すると見栄えが悪く、また、固定金具６０の取付スペースを床面に確保しなければならない。さらに、床面に架台を固定して架台上に空気調和機を固定することが多く、この場合、架台は空気調和機の底板１７よりも固定金具のネジ止めスペース分広いものを使用しなければならず、設置面積が大きくなると共に架台が出張り床面に段差ができるという問題があった。このような段差が床面にあると人がつまずく虞があり好ましくない。
【０００４】
そこで、本発明は固定金具を本体外側に使用することなく本体を床面に固定できる床置き型の空気調和機を提供することを課題とするものである。
【０００５】
【課題を解決するための手段】
上記課題に鑑み、本発明は、底板を有するケース内に熱交換器、送風機等が収納され、床に設置固定される空気調和機において、底板に開口を設け、この開口の周縁に係止される固定金具を介して本体を床に固定する。
【０００６】
この固定金具は、ネジ止め用の透孔を有し各開口の周縁に係止される２つの脚部を連結部にて連結したものである。
【０００７】
【発明の実施の形態】
以下、図面に基づき本発明の一実施形態を説明する。
【０００８】
図１は本発明の空気調和機の分解斜視図である。空気調和機は主として板金製の本体３と、本体３内に配置された熱交換器５と、熱交換器５に向けて送風する送風機７とから構成されている。
【０００９】
本体３は、一枚の薄肉板金を横断面が略コ字状に折り曲げ形成したケース１１の上下に夫々天板１５及び底板１７を取り付けて構成される。底板１７の前面側には２つの開口６３、６４が形成されている。本体３の開放された前面には、上から順に、調和空気を吹出す空気吹出口が形成された吹出パネル１３ｂと、センターパネル１３ｃと、室内空気を吸い込む空気吸込口が形成された吸込パネル１３ａとが取り付けられる。吹出パネル１３ｂ、センターパネル１３ｃ、吸込パネル１３ａは、それぞれ、中央部が厚く両側が薄くなるように、正面が湾曲して形成されている。
【００１０】
吹出パネル１３ｂの空気吹き出し口には、上下方向に風を案内する案内羽根１４が多数形成されている。吹出パネル１３ｂの上枠（上部）は、天板１５の前面側に設けられた突起部１５ａにネジ止めされる。吹き出しパネル１３ｂとケース１１との間には、左右に吹出方向を案内するガイド板２１がケース１１の左右の側面部１１ａ、１１ｂにネジ止めされる。
【００１１】
センターパネル１３ｃは、全体として盲板に形成されており、その右上側に空気調和機を運転操作するためのコントローラ４が収納される開口１９を有しており、ケース１１の側面部１１ａ、１１ｂにネジ止めされる。
【００１２】
吸込パネル１３ａには、吸い込んだ室内空気を案内する案内羽根１６が多数形成されている。その裏面には、図示しないエアフィルタが着脱自在に取りつけられている。
【００１３】
本体３と内側パネル１３ｄにより規定される空気通路には斜めに傾斜して熱交換器５が配置されている。熱交換器５の下端には熱交換器５の結露を受けるドレンパンが配置されている。
【００１４】
送風機７は、いわゆる遠心送風機であり、前面側に吸入口３７が形成された片吸込みのファンケース２９と、このファンケース２９内に配置された羽車３１と、この羽車３１を駆動する電動機３３とから構成され、吸入口３７から吸引した空気を熱交換器５へ向けて送風する。送風機７の吸入口３７の上方には、制御回路が収納された電送箱９が配置されている。
【００１５】
本体３に各パネル１３ａ、１３ｂ、１３ｃが取り付けられた状態は従来例で説明した図６に示す外観と同様である。
【００１６】
送風機７の電動機３３が駆動されると、吸込パネル１３ａを介して送風機７の吸入口３７から空気が吸引され、熱交換器５を通過する際に冷却または加温され、吹出パネル１３ｂの空気吹き出し口から吹き出される。
【００１７】
このように構成された床置き型の空気調和機を架台（床面）に据え付ける方法を図２〜図５に基づき以下に説明する。
【００１８】
図２は空気調和機を固定金具６５で架台６６に固定した状態を示し、底板１７をケース１１内から見た図であり、図３はその断面図である。底板１７に形成された開口６３、６４は所定距離隔てて設けられており、その周縁がケース１１内に突出している。固定金具６５はネジ用の透孔を有する脚部６５ａ、６５ｂと開口６３、６４周縁の突出高さと略同じ高さの段差をもって脚部６５ａ、６５ｂを連結する連結部６５ｃとを備えている。
【００１９】
本体３を固定するには、脚部６５ａ、６５ｂが夫々開口６３、６４内に位置し、その一部が開口周縁に係止されるように固定金具６５を開口６３、６４間に渡し、脚部６５ａ、６５ｂを透孔を介して架台６６（床）に木ネジ６７、６８にて螺合する。このようにして空気調和機本体３を床面に固定すれば本体の外側に固定のための金具等が出ない。また、床面に架台６６を固定しその架台６６に本体３を据え付ける場合には、底板１７と略同面積の架台６６が使用できるので、架台６６が本体３から出張ることがない。尚、底板１７に形成した開口６３、６４は本体３の設置状況によって冷媒配管を引き出すために使用される。
【００２０】
他の実施の形態を図４及び図５に示す。この実施形態においては、架台６６（床）からボルト７０、７１を、底板１７の開口６３、６４の対向する周縁に係止するように植設している。固定金具７２、７３は底板１７に当接する脚部７２ａ、７３ａと開口６３、６４の周縁の突出高さと略同じ高さの段差を有する固定部７２ｂ、７３ｂとを備えている。固定金具７２、７３の固定部７２ｂ、７３ｂにはボルトが挿通される透孔が設けられている。この固定金具７２、７３を、その固定部７２ｂ、７３ｂの透孔にボルト７０、７１を挿通して置き、ナット７４、７５を締めることにより本体３を架台６６に固定する。
【００２１】
【発明の効果】
以上に説明したように本発明によれば、底板に形成した開口に固定具を介して空気調和機本体を床面または架台に固定するもので、しかもこの固定金具は、ネジ止め用の透孔を有し各開口の周縁に係止される２つの脚部を連結部にて連結したので、本体外側に固定部材が出ることがない。したがって、固定部材の固定スペースを確保する必要がなく床面の有効活用が図れる。また、架台に本体を固定する場合には底板と略同面積の架台が使用できるので、架台が本体から出張ることがなく据え付け後の安全性が向上する。
【図面の簡単な説明】
【図１】本発明の空気調和機の主要部を示す分解斜視図である。
【図２】本発明の空気調和機の固定構造を示す図である。
【図３】本発明の空気調和機の固定構造を示す断面図である。
【図４】本発明の空気調和機の固定構造を示す図である。
【図５】本発明の空気調和機の固定構造を示す断面図である。
【図６】従来の空気調和機の固定構造を示す斜視図である。
【符号の説明】
３  本体
５  熱交換器
７  送風機
１１  ケース
６３  開口
６４  開口
６５  固定金具
６７  木ネジ
６８  木ネジ
７０  ボルト
７１  ボルト
７２  固定金具
７３  固定金具
７４  ナット
７５  ナット
【図１】
0003717620.tif 000002
【図２】
0003717620.tif 000003
【図３】
0003717620.tif 000004
【図４】
0003717620.tif 000005
【図５】
0003717620.tif 000006
【図６】
0003717620.tif 000007